(57)【特許請求の範囲】
【請求項１】
木材よりも軽い軽量材から構成された基材と、
前記基材のうち少なくとも前端面および上下面に接合される化粧板と、をそれぞれ備えた複数の建築用板材が、壁面に沿って連続するとともに互いの端部同士が連結された状態で、前記壁面に設けられた受部に取り付けられてなる建築用板材の取付構造であって、
前記複数の建築用板材における連結し合う端部同士のうち少なくとも一方が、前記建築用板材の奥行方向または厚み方向に対して斜めに形成されることによって、前記複数の建築用板材は、平面視または正面視において交差した状態で、前記壁面に沿って連続しており、
前記複数の建築用板材における前記連結し合う端部は、前記化粧板のうち前記連結し合う端部に位置する部分が前記基材の側面よりも突出して窪みが形成された状態となっており、
前記複数の建築用板材は、前記窪みに角材が嵌め込まれて固定されることで連結されており、
前記化粧板は、前記受部側に突出して前記受部のうち少なくとも上下面に当接するとともに固定されていることを特徴とする建築用板材の取付構造。
【請求項２】
請求項１に記載の建築用板材の取付構造において、
前記壁面に設けられた前記受部と、前記窪みに嵌め込まれて固定された前記角材は、非一体であることを特徴とする建築用板材の取付構造。
【請求項３】
請求項１または２に記載の建築用板材の取付構造において、
前記壁面は、互いに隣接して交差する複数の壁面によって形成されており、
前記複数の建築用板材は、前記連結し合う端部同士のうち少なくとも一方が、前記建築用板材の奥行方向に対して斜めに形成されることによって、平面視において交差した状態で、前記複数の壁面に沿って連続していることを特徴とする建築用板材の取付構造。
【請求項４】
請求項３に記載の建築用板材の取付構造において、
前記複数の建築用板材は、前記壁面を備えた部屋の天井付近に配置されていることを特徴とする建築用板材の取付構造。
【請求項５】
請求項３または４に記載の建築用板材の取付構造において、
前記壁面に取り付けられた状態の前記複数の建築用板材における突出方向側端部には、上方または下方に突出する突片が前記複数の建築用板材の長さ方向に沿って設けられていることを特徴とする建築用板材の取付構造。
【請求項６】
請求項１または２に記載の建築用板材の取付構造において、
前記複数の建築用板材は、前記連結し合う端部同士のうち少なくとも一方が、前記建築用板材の厚み方向に対して斜めに形成されることによって、正面視において交差した状態で、前記壁面に沿って連続していることを特徴とする建築用板材の取付構造。
【請求項７】
木材よりも軽い軽量材から構成された基材と、
前記基材のうち少なくとも前端面および上下面に接合される化粧板と、をそれぞれ備えた複数の建築用板材を、壁面に沿って連続するとともに互いの端部同士が連結された状態で、前記壁面に予め設けられた受部に取り付ける建築用板材の取付方法であって、
前記複数の建築用板材における連結し合う端部同士のうち少なくとも一方は、前記建築用板材の奥行方向または厚み方向に対して斜めに形成され、
前記複数の建築用板材における連結し合う端部は、前記化粧板のうち前記連結し合う端部に位置する部分が前記基材の側面よりも突出して窪みが形成された状態となっており、
前記化粧板は、前記受部側に突出した状態となっており、
前記複数の建築用板材を、前記窪みに角材を嵌め込んで固定することで連結し、
前記複数の建築用板材を、平面視または正面視において交差した状態で、前記壁面に沿って連続させ、前記受部側に突出した状態の前記化粧板を、前記受部のうち少なくとも上下面に当接させるとともに固定することを特徴とする建築用板材の取付方法。
【発明の詳細な説明】
【技術分野】
【０００１】
本発明は、建築用板材の取付構造及び取付方法に関する。
【背景技術】
【０００２】
特許文献１においては、建築物に作り付けられた収納本体内の受部上に設置される板材が提案されている。
この板材は、金属製補強芯材および木製芯材を含む枠体内に、軽量化と強度を高めるペーパーハニカムが内蔵され、さらに上下の面材で挟み込まれたフラッシュ構造とされている。
【先行技術文献】
【特許文献】
【０００３】
【特許文献１】特開２００１−８１９５７号公報
【発明の概要】
【発明が解決しようとする課題】
【０００４】
ところで、特許文献１に記載の板材は、収納本体における三方の壁面に対して安定的に取り付けられている。しかしながら、このような板材の場合は取付箇所が限られてしまうことから、壁面から板材が突出するような、いわゆる片持ちの状態で板材を壁面に取り付けることが可能な技術の開発が望まれていた。
ところが、片持ち状態で板材を壁面に取り付ける場合は、板材自体の軽量化や、板材の取付強度の向上が求められる。また、特許文献１のように、棚板の下に受部が露出するのは外観上好ましくない。
【０００５】
本発明は上記課題に鑑みてなされものであり、板材を軽量化するとともに板材の取付強度を向上させ、さらに外観性の向上を図ることが可能な建築用板材の取付構造及び取付方法を提供することを目的とする。
【課題を解決するための手段】
【０００６】
請求項１に記載の発明は、例えば図１〜図５（図６〜図１４）に示すように、木材よりも軽い軽量材から構成された基材１と、
前記基材１のうち少なくとも前端面および上下面に接合される化粧板２と、をそれぞれ備えた複数の建築用板材１０，１１が、壁面１５ａ，１５ｂに沿って連続するとともに互いの端部１０ａ，１１ａ同士が連結された状態で、前記壁面１５ａ，１５ｂに設けられた受部５に取り付けられてなる建築用板材１０，１１の取付構造であって、
前記複数の建築用板材１０，１１における連結し合う端部１０ａ，１１ａ同士のうち少なくとも一方が、前記建築用板材１０，１１の奥行方向または厚み方向に対して斜めに形成されることによって、前記複数の建築用板材１０，１１は、平面視または正面視において交差した状態で、前記壁面１５ａ，１５ｂに沿って連続しており、
前記複数の建築用板材１０，１１における前記連結し合う端部１０ａ，１１ａは、前記化粧板２のうち前記連結し合う端部１０ａ，１１ａに位置する部分が前記基材１の側面よりも突出して窪み１１ｃが形成された状態となっており、
前記複数の建築用板材１０，１１は、前記窪み１１ｃに角材１０ｃが嵌め込まれて固定されることで連結されており、
前記化粧板２は、前記受部５側に突出して前記受部５のうち少なくとも上下面に当接するとともに固定されていることを特徴とする。
【０００７】
請求項１に記載の発明によれば、複数の建築用板材１０，１１が、基材１のうち少なくとも前端面および上下面に接合されるとともに、受部５側に突出して受部５のうち少なくとも上下面に当接して固定される化粧板２を備えるので、この化粧板２によって、複数の建築用板材１０，１１を壁面１５ａ，１５ｂに対して片持ちの状態で取り付けることができる。
そして、このように複数の建築用板材１０，１１が片持ちの状態で壁面１５ａ，１５ｂに取り付けられるに当たって、これら複数の建築用板材１０，１１における壁面側端部のそれぞれが受部５を介して壁面１５ａ，１５ｂに取り付けられることになるので、一つの建築用板材が片持ちの状態で壁面に取り付けられる場合に比して、その取付強度が向上することになる。
しかも、建築用板材１０，１１が、木材よりも軽い軽量材から構成された基材１を備えるので、軽量化に貢献できる。そのため、例えば基材１を木材で構成した場合に比して、複数の建築用板材１０，１１を受部５によって支持しやすくなる。
さらに、化粧板２が受部５のうち少なくとも上下面に当接するので、少なくとも受部５の上下面を隠すことができ、外観性を高めることができる。
また、複数の建築用板材１０，１１は、窪みに角材１０ｃが嵌め込まれて固定されることで連結されているので、複数の建築用板材１０，１１の端部１０ａ，１１ａ同士を連結させて壁面１５ａ，１５ｂに取り付けた際における、複数の建築用板材１０，１１の安定した一体性を確保することができる。
【０００８】
請求項２に記載の発明は、例えば図１に示すように、請求項１に記載の建築用板材１０，１１の取付構造において、
前記壁面１５ａ，１５ｂに設けられた前記受部５と、前記窪み１１ｃに嵌め込まれて固定された前記角材１０ｃは、非一体であることを特徴とする。
【００１０】
請求項３に記載の発明は、例えば図１〜図８等に示すように、請求項１または２に記載の建築用板材１０，１１・２０，２１の取付構造において、
前記壁面１５・２５は、互いに隣接して交差する複数の壁面１５ａ，１５ｂ・２５ａ，２５ｂによって形成されており、
前記複数の建築用板材１０，１１・２０，２１は、前記連結し合う端部１０ａ，１１ａ・２０ａ，２１ａ同士のうち少なくとも一方が、前記建築用板材１０，１１・２０，２１の奥行方向に対して斜めに形成されることによって、平面視において交差した状態で、前記複数の壁面１５ａ，１５ｂ・２５ａ，２５ｂに沿って連続していることを特徴とする。
【００１１】
請求項３に記載の発明によれば、複数の建築用板材１０，１１・２０，２１は、連結し合う端部１０ａ，１１ａ・２０ａ，２１ａ同士のうち少なくとも一方が、建築用板材１０，１１・２０，２１の奥行方向に対して斜めに形成されることによって、平面視において交差した状態で、複数の壁面１５ａ，１５ｂ・２５ａ，２５ｂに沿って連続しているので、複数の建築用板材１０，１１・２０，２１は、平面視において略Ｌ字型を呈する部分を有する状態で、壁面１５ａ，１５ｂ・２５ａ，２５ｂに取り付けられることになる。これによって、複数の建築用板材１０，１１・２０，２１を、出隅や入隅のある壁に対して好適に取り付けることができる。
【００１２】
請求項４に記載の発明は、例えば図８に示すように、請求項３に記載の建築用板材２０，２１の取付構造において、
前記複数の建築用板材２０，２１は、前記壁面２５ａ，２５ｂを備えた部屋Ｒの天井２５ｃ付近に配置されていることを特徴とする。
【００１３】
請求項４に記載の発明によれば、複数の建築用板材２０，２１は、壁面２５ａ，２５ｂを備えた部屋Ｒの天井２５ｃ付近に配置されているので、例えば、天井２５ｃ付近の飾り棚としての用途や、天井２５ｃ付近に設けられる照明（照明器具２３）を目隠しして間接照明を構成する用途、部屋Ｒの全周の壁面２５ａ，２５ｂに取り付けて折り上げ天井風の天井を形成する用途など、様々な用途で使うことができ、利便性が高い。
【００１４】
請求項５に記載の発明は、例えば図８，図１４に示すように、請求項３または４に記載の建築用板材２０，２１・７０の取付構造において、
前記壁面２５ａ，２５ｂ・７５に取り付けられた状態の前記複数の建築用板材２０，２１・７０における突出方向側端部には、上方または下方に突出する突片２２・７２が前記複数の建築用板材２０，２１・７０の長さ方向に沿って設けられていることを特徴とする。
【００１５】
請求項５に記載の発明によれば、壁面２５ａ，２５ｂ・７５に取り付けられた状態の複数の建築用板材２０，２１・７０における突出方向側端部に、上方または下方に突出する突片２２・７２が複数の建築用板材２０，２１・７０の長さ方向に沿って設けられているので、突片２２・７２によって、この突片２２・７２よりも壁面２５ａ，２５ｂ・７５側にある物を目隠ししたり、複数の建築用板材２０，２１・７０上面に載置した物の落下を防いだり等、複数の建築用板材２０，２１・７０を様々な用途で使うための可能性を格段に広げることができる。
【００１６】
請求項６に記載の発明は、例えば図９，図１０等に示すように、請求項１または２に記載の建築用板材３０，３１の取付構造において、
前記複数の建築用板材３０，３１は、前記連結し合う端部３０ａ，３０ｂ，３１ａ同士のうち少なくとも一方が、前記建築用板材３０，３１の厚み方向に対して斜めに形成されることによって、正面視において交差した状態で、前記壁面３５に沿って連続していることを特徴とする。
【００１７】
請求項６に記載の発明によれば、複数の建築用板材３０，３１は、連結し合う端部３０ａ，３０ｂ，３１ａ同士のうち少なくとも一方が、建築用板材３０，３１の厚み方向に対して斜めに形成されることによって、正面視において交差した状態で、壁面３５に沿って連続しているので、複数の建築用板材３０，３１は、正面視において略Ｌ字型を呈する部分を有する状態で、壁面３５に取り付けられることになる。これによって、連続した一体性のある複数の建築用板材３０，３１が、一つの壁面３５に対して取り付けられることになるので、一つの建築用板材が一つの壁面に取り付けられる場合に比して、その取付強度をより一層向上させることができる。
（請求項７）
請求項７に記載の発明は、例えば図１〜図５（図６〜図１４）に示すように、木材よりも軽い軽量材から構成された基材１と、
前記基材１のうち少なくとも前端面および上下面に接合される化粧板２と、をそれぞれ備えた複数の建築用板材１０，１１を、壁面１５ａ，１５ｂに沿って連続するとともに互いの端部１０ａ，１１ａ同士が連結された状態で、前記壁面１５ａ，１５ｂに予め設けられた受部５に取り付ける建築用板材１０，１１の取付方法であって、
前記複数の建築用板材１０，１１における連結し合う端部１０ａ，１１ａ同士のうち少なくとも一方は、前記建築用板材１０，１１の奥行方向または厚み方向に対して斜めに形成され、
前記複数の建築用板材１０，１１における連結し合う端部１０ａ，１１ａは、前記化粧板２のうち前記連結し合う端部１０ａ，１１ａに位置する部分が前記基材１の側面よりも突出して窪み１１ｃが形成された状態となっており、
前記化粧板２は、前記受部５側に突出した状態になっており、
前記複数の建築用板材１０，１１を、前記窪み１１ｃに角材１０ｃを嵌め込んで固定することで連結し、
前記複数の建築用板材１０，１１を、平面視または正面視において交差した状態で、前記複数の壁面１５ａ，１５ｂに沿って連続させ、前記受部５側に突出した状態の前記化粧板２を、前記受部５のうち少なくとも上下面に当接させるとともに固定することを特徴とする。
【発明の効果】
【００１８】
本発明によれば、建築用板材を軽量化するとともに建築用板材の取付強度を向上させ、さらに外観性の向上を図ることが可能となる。
【図面の簡単な説明】
【００１９】
【図１】出隅部に用いられる複数の建築用板材の一例を示す分解斜視図である。
【図２】同、斜視図である。
【図３】複数の建築用板材が出隅部に取り付けられた状態を示す斜視図である。
【図４】複数の建築用板材の取付構造を示す縦断面図である。
【図５】入隅部に用いられる複数の建築用板材の他の一例を示す斜視図である。
【図６】複数の建築用板材が入隅部に取り付けられた状態を示す斜視図である。
【図７】建築用板材の幅方向一端部における仕上げ面を示す図である。
【図８】複数の建築用板材が部屋の壁面に取り付けられた例を示す斜視図である。
【図９】連結し合う端部同士が厚み方向に対して斜めに形成された複数の建築用板材の一例を示す斜視図である。
【図１０】図９に示す複数の建築用板材における連結構造を説明する断面図である。
【図１１】建築用板材の取付構造における変形例を示す斜視図である。
【図１２】建築用板材の取付構造における変形例を示す斜視図である。
【図１３】建築用板材の取付構造における変形例を示す斜視図である。
【図１４】建築用板材の取付構造における変形例を示す斜視図である。
【発明を実施するための形態】
【００２０】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００２１】
〔第１実施形態〕
図１〜図３に示す複数の建築用板材１０，１１のそれぞれは、木材よりも軽い軽量材から構成された基材１と、基材１のうち少なくとも前端面および上下面に接合される化粧板２と、を備える。
そして、これら複数の建築用板材１０，１１は、図２，図３に示すように、出隅部１５を形成する壁面に沿って連続するとともに互いの端部１０ａ，１１ａ同士が連結された状態で、出隅部１５を形成する壁面に設けられた受部５に取り付けられている。
【００２２】
より詳細に説明すると、出隅部１５を形成する壁面は、互いに隣接して交差する複数の壁面１５ａ，１５ｂによって形成されている。また、受部５は、複数の壁面１５ａ，１５ｂに対して、平面視Ｌ字状に形成された状態、もしくは、２つに分割されて平面視略Ｌ字状に配置された状態で設けられている。
複数の建築用板材１０，１１は、連結し合う端部１０ａ，１１ａ同士が、それぞれの建築用板材１０，１１の奥行方向に対して斜めに形成されることによって、平面視において交差した状態で、複数の壁面１５ａ，１５ｂに沿って連続している。
本実施形態における複数の建築用板材１０，１１は、端部１０ａ，１１ａ同士が連結された状態において平面視Ｌ字状に形成される。そのため、連結し合う端部１０ａ，１１ａ同士は斜め４５度に設定されている。
なお、本実施形態では、複数の建築用板材１０，１１における双方の端部１０ａ，１１ａ同士が奥行方向に対して斜めに形成されるものとしたが、これに限られるものではなく、いずれか一方の端部１０ａ（１１ａ）のみを斜めに形成してもよいし、斜めに形成する際の角度も適宜変更可能である。
また、奥行方向とは、建築用板材１０，１１の突出方向側端部から壁面１５ａ，１５ｂに向かう方向を指す。
【００２３】
複数の建築用板材１０，１１における連結し合う端部１０ａ，１１ａ同士のうち一方は凸部１０ｃを有し、他方は凹部１１ｃを有する。本実施形態においては、一方の建築用板材１０における連結側端部が凸部１０ｃを有し、他方の建築用板材１１における連結側端部が凹部１１ｃを有する。
複数の建築用板材１０，１１の端部１０ａ，１１ａ同士は、凸部１０ｃが凹部１１ｃに嵌め込まれることによって連結されている。
【００２４】
ここで、複数の建築用板材１０，１１を構成する基材１および化粧板２等について説明する。
【００２５】
基材１を構成する軽量材としては紙材をハニカム状に形成してなるペーパーハニカムや、発泡ウレタン、発泡スチロール等の発泡材が好適に用いられており、そのいずれを採用してもよい。すなわち、建築用板材１０，１１は、木材よりも軽量であり、さらには、壁面１５ａ，１５ｂに取り付けられた状態で保持され、その状態で使用できればよい。
なお、建築用板材１０，１１が壁面１５ａ，１５ｂに取り付けられる際に基材１において受部５側を向く面を、以下、取付面１ａと称する。これに対し、受部５において基材１側を向く面を、以下、取付面５ａと称する。
これら取付面１ａ，５ａ同士は、建築用板材１０，１１が壁面１５ａ，１５ｂに取り付けられた際に、互いに当接し合う状態となる。また、これら取付面１ａ，５ａ同士は、略等しい面積に設定されている（図４参照）。
【００２６】
さらに、化粧板２は、例えばＭＤＦ(Medium density fiberboard：中密度繊維板）や、合板、パーティクルボード等のボード材にからなる厚さ数ｍｍ程度（３ｍｍ〜７ｍｍ程度）の薄板が好適に用いられており、そのいずれを採用してもよい。すなわち、化粧板２としては、建築用板材１０，１１を支持するのに必要な強度を有するとともに、建築用板材１０，１１の軽量化に貢献すべく、ある程度の薄さに設定されたものが用いられる。
なお、化粧板２の外表面には、例えば木目模様等のデザインが印刷されたり、デザインが印刷された化粧シートが貼り付けられたりする。
【００２７】
化粧板２は、上述のように基材１の前端面および上下面に接合されている。
複数の建築用板材１０，１１における連結側の端部１０ａ，１１ａに位置する基材１の端面は、化粧板２の端面よりも奥まった位置に配置されている。換言すれば、複数の建築用板材１０，１１における連結側端部１０ａ，１１ａに位置する化粧板２の側端部は、基材１の側面よりも突出している。
これにより、連結側の端部１０ａ，１１ａのそれぞれには、窪みが形成された状態となる。そして、図１に示すように、一方の建築用板材１０における連結側端部の窪みには、直方体状の角材（または、集成材等からなる直方体状の部材）が嵌め込まれて固定されており、当該角材によって凸部１０ｃが形成されている。さらに、他方の建築用板材１１における連結側端部の窪みは、そのまま凹部１１ｃとして利用される。
【００２８】
また、複数の建築用板材１０，１１における連結側ではない方の端部１０ｂ，１１ｂに位置する基材１の端面には、図５（ａ），（ｂ）に示すように、基材１の厚みと略等しい高さに設定された下地材３が接合されている。
下地材３の外側面は、この下地材３が基材１の側端面に取り付けられた状態において、化粧板２の側端面と面一になっている。そして、これら下地材３の外側面と、化粧板２の側端面には、化粧板２の表面デザインと同様のデザインが印刷された化粧シート４が貼り付けられている。
このように下地材３および化粧シート４が用いられる場合、化粧板２は、基材１の前端面および上下面にのみ接合される。例えば下地材３および化粧シート４が用いられない場合には、化粧板２が、複数の建築用板材１０，１１における連結側ではない方の端部１０ｂ，１１ｂに位置する基材１の端面にも接合される。
【００２９】
そして、複数の建築用板材１０，１１における基材１に接合された化粧板２は、受部５側に突出して受部５のうち上下面に当接するとともに固定されている。
また、本実施形態においては、複数の建築用板材１０，１１における連結側ではない方の端部１０ｂ，１１ｂに位置する下地材３も、受部５側に突出して受部５のうち幅方向両端面に当接する。なお、例えば下地材３および化粧シート４が用いられない場合には、化粧板２が、複数の建築用板材１０，１１における連結側ではない方の端部１０ｂ，１１ｂに位置する基材１の端面にも接合されて、受部５側に突出し、受部５の左右両側の端面に当接する。
すなわち、壁面１５ａ，１５ｂへの取付前の状態の、複数の建築用板材１０，１１における化粧板２および下地材３は、基材１に対して、基材１の取付面１ａのみを露出させた状態で、かつ取付面１ａよりも突出した状態となるように接合されている。換言すれば、化粧板２および下地材３は、複数の建築用板材１０，１１における基材１の取付面１ａの全周を囲んでおり、当該取付面１ａに対して直交する方向に沿って突出した状態となるように、基材１に対して接合されている。
なお、化粧板２および下地材３は、基材１に対して接着剤で接合されている。
【００３０】
また、化粧板２および下地材３における取付面１ａからの突出寸法は、受部５における壁面１５ａ，１５ｂからの突出寸法と略等しく設定されている。さらに、上述したように基材１の取付面１ａと、受部５の取付面５ａとが略等しい面積に設定されている。このため、建築用板材１０，１１を壁面１５ａ，１５ｂに取り付ける際においては、化粧板２および下地材３における取付面１ａから突出した部分に受部５が嵌合する状態となる。このように、取付面１ａから突出した化粧板２および下地材３によって囲まれた部分を、以下、嵌合凹部２ａと称する。
つまり、嵌合凹部２ａは、基材１における取付面１ａと、この取付面１ａの周縁から壁面１５ａ，１５ｂ側に突出する化粧板２および下地材３と、によって構成されたものである。
なお、化粧板２および下地材３の突出方向側端面は、複数の建築用板材１０，１１が壁面１５ａ，１５ｂに取り付けられた状態においては、壁面１５ａ，１５ｂに当接するか、極めて近接した状態となる。
【００３１】
続いて、受部５の壁面１５ａ，１５ｂへの取付態様について説明する。
受部５は、例えばＬＶＬ（Laminated Veneer Lumber：単層積層材）や、集成材等の加工材が好適に用いられているが、通常の木材を切り出してなる角材を用いてもよい。
また、受部５は、上述のように直方体状に形成されている。すなわち、受部５は、嵌合凹部２ａに嵌合するものであるため、この嵌合凹部２ａに対応した形状となっている。
受部５における取付面５ａは、当該受部５における突出方向の先端側に位置する前端面である。また、この受部５の上面と下面と幅方向両端面は、建築用板材１０，１１を壁面１５ａ，１５ｂに取り付けた際に、嵌合凹部２ａを構成する化粧板２および下地材３に当接した状態となる。
【００３２】
また、上述のように受部５は、壁面１５ａ，１５ｂに対して、受部５の前端面から壁面１５ａ，１５ｂに向かって設けられる釘・ビス等の固定具によって固定されている。
なお、受部５に対しては、釘・ビス等の固定具を差し込むための通し孔（図示せず）を予め形成しておいてもよい。また、受部５における壁面１５ａ，１５ｂ側の面には、補助的に接着剤を塗布してもよい。
【００３３】
そして、このような受部５は、接着剤によって、嵌合凹部２ａを構成する化粧板２および下地材３に接着される。
また、建築用板材１０，１１の壁面１５ａ，１５ｂに対する取付高さにもよるが、化粧板２の表面から受部５の上面または下面に対して、釘・ビス等の固定具を設け、さらに確実に固定してもよい。
【００３４】
次に、複数の建築用板材１０，１１を受部５に取り付ける際の施工手順について説明する。
なお、複数の建築用板材１０，１１は、予め工場や現場で製造されているものとする。
【００３５】
まず、受部５を、出隅部１５を形成する複数の壁面１５ａ，１５ｂに固定する。
続いて、複数の建築用板材１０，１１を、図１，図２に示すように、凸部１０ｃを凹部１１ｃに嵌め込んで連結させる。
そして、受部５の表面に接着剤を塗布してから、このように連結された複数の建築用板材１０，１１を、受部５に対して、嵌合凹部２ａに受部５が嵌合するようにして取り付ける。
その後は、接着剤の硬化を待つ。また、固定具によって化粧板２を受部５に固定してもよい。
【００３６】
以上のようにして、複数の建築用板材１０，１１を受部５に取り付けることができ、受部５によって、複数の建築用板材１０，１１を壁面１５ａ，１５ｂの表面に支持させることができる。
【００３７】
本実施の形態によれば、複数の建築用板材１０，１１が、基材１のうち少なくとも前端面および上下面に接合されるとともに、受部５側に突出して受部５のうち少なくとも上下面に当接して固定される化粧板２を備えるので、この化粧板２によって、複数の建築用板材１０，１１を、出隅部１５を形成する壁面１５ａ，１５ｂに対して片持ちの状態で取り付けることができる。
そして、このように複数の建築用板材１０，１１が片持ちの状態で壁面１５ａ，１５ｂに取り付けられるに当たって、これら複数の建築用板材１０，１１における壁面１５ａ，１５ｂ側端部のそれぞれが受部５を介して壁面１５ａ，１５ｂに取り付けられることになるので、一つの建築用板材が片持ちの状態で壁面に取り付けられる場合に比して、その取付強度が向上することになる。
しかも、建築用板材１０，１１が、木材よりも軽い軽量材から構成された基材１を備えるので、軽量化に貢献できる。そのため、例えば基材１を木材で構成した場合に比して、複数の建築用板材１０，１１を受部５によって支持しやすくなる。
さらに、化粧板２が受部５のうち少なくとも上下面に当接するので、少なくとも受部５の上下面を隠すことができ、外観性を高めることができる。
【００３８】
また、一方の建築用板材１０における凸部１０ｃが他方の建築用板材１１における凹部１１ｃに嵌め込まれることによって複数の建築用板材１０，１１の端部１０ａ，１１ａ同士が連結されているので、複数の建築用板材１０，１１の端部１０ａ，１１ａ同士を連結させて壁面１５ａ，１５ｂに取り付けた際における、複数の建築用板材１０，１１の安定した一体性を確保することができる。
【００３９】
また、複数の建築用板材１０，１１は、連結し合う端部１０ａ，１１ａ同士のうち少なくとも一方が、それぞれの建築用板材１０，１１の奥行方向に対して斜めに形成されることによって、平面視において交差した状態で、複数の壁面１５ａ，１５ｂに沿って連続しているので、複数の建築用板材１０，１１は、平面視において略Ｌ字型を呈する部分を有する状態で、壁面１５ａ，１５ｂに取り付けられることになる。これによって、複数の建築用板材１０，１１を、出隅部１５のある壁面に対して好適に取り付けることができる。
【００４０】
〔第２実施形態〕
次に、図面を参照して本発明の第２実施形態について説明する。なお、説明の便宜上、上述した第１実施形態とは異なる構成部分のみについて説明する。
【００４１】
本実施形態における複数の建築用板材２０，２１は、図６，図７に示すように、入隅部２５を形成する複数の壁面２５ａ，２５ｂに取り付けられる。
なお、複数の建築用板材２０，２１は、基材１と、化粧板２と、下地材３と、化粧シート４と、を備える点で上述した第１実施形態と共通する。また、複数の建築用板材２０，２１における連結し合う端部２０ａ，２１ａ同士のうち一方は凸部を有し、他方は凹部を有しており、凸部が凹部に嵌め込まれることによって複数の建築用板材２０，２１の端部２０ａ，２１ａ同士が連結される点も上述した第１実施形態と共通する。
さらに、入隅部２５を形成する複数の壁面２５ａ，２５ｂには、この入隅部２５に対応して受部５が固定されている。
すなわち、第２実施形態における複数の建築用板材２０，２１は、入隅部２５に対応した形状となっており、出隅部１５に対応した第１実施形態における複数の建築用板材１０，１１とは正反対の構成とされたものである。
【００４２】
このような複数の建築用板材２０，２１を用いれば、例えば図８に示すような部屋Ｒに折り上げ天井を形成することができる。
部屋Ｒは平面視矩形状に形成されており、四方に壁面２５ａ，２５ｂが設けられた状態となっている。つまり、部屋Ｒの四隅は入隅部２５となっている。
複数の建築用板材２０，２１は、このように四方に壁面２５ａ，２５ｂを備えた部屋Ｒの天井２５ｃ付近に、入隅部２５に対応するようにして配置されている。
より詳細に説明すると、壁面２５ａ，２５ｂの天井２５ｃ付近には受部５が水平に取り付けられており、この受部５に対して複数の建築用板材２０，２１が取り付けられている。
【００４３】
また、壁面２５ａ，２５ｂに取り付けられた状態の複数の建築用板材２０，２１における突出方向側端部には、上方に突出する突片２２が複数の建築用板材２０，２１の長さ方向に沿って設けられている。
突片２２は、天井２５ｃに到達しない高さに設定されており、複数の建築用板材２０，２１の上面には、照明器具２３が設置されている。これによって、突片２２の上端部と天井２５ｃとの間の隙間から部屋Ｒの中央側に照明器具２３の光が漏れる間接照明を部屋Ｒに作ることができる。
また、突片２２と化粧板２は一体形成されていてもよいし、突片２２を化粧板２に対して後付けしてもよい。
【００４４】
本実施の形態によれば、上述した第１実施形態と同じ効果を得ることができるとともに、複数の建築用板材２０，２１が、壁面２５ａ，２５ｂを備えた部屋Ｒの天井２５ｃ付近に配置されているので、例えば、天井２５ｃ付近の飾り棚としての用途や、天井２５ｃ付近に設けられる照明器具２３を目隠しして間接照明を構成する用途、部屋Ｒの全周の壁面２５ａ，２５ｂに取り付けて折り上げ天井を形成する用途など、様々な用途で使うことができ、利便性が高い。
【００４５】
また、壁面２５ａ，２５ｂに取り付けられた状態の複数の建築用板材２０，２１における突出方向側端部に、上方に突出する突片２２が複数の建築用板材２０，２１の長さ方向に沿って設けられているので、突片２２によって、この突片２２よりも壁面２５ａ，２５ｂ側にある物を目隠ししたり、複数の建築用板材２０，２１上面に載置した物の落下を防いだり等、複数の建築用板材２０，２１を様々な用途で使うための可能性を格段に広げることができる。
【００４６】
〔第３実施形態〕
次に、図面を参照して本発明の第２実施形態について説明する。なお、説明の便宜上、上述した第１実施形態および第２実施形態とは異なる構成部分のみについて説明する。
【００４７】
本実施形態における複数の建築用板材３０，３１，３１は、連結し合う端部３０ａ，３０ｂ，３１ａ同士が、図９，図１０に示すように、建築用板材３０，３１，３１の厚み方向に対して斜めに形成されることによって、正面視において交差した状態で、一つの壁面３５に沿って連続している。なお、壁面３５には出入口が設けられており、この出入口の上方に、複数の建築用板材３０，３１，３１が設けられている。
より具体的に説明すると、建築用板材３０は、平面視において矩形状に形成され、部屋等の壁面３５に対して水平に取り付けられる。この建築用板材３０は、その幅方向両端部３０ａ，３０ｂが連結側の端部として機能する。
建築用板材３１，３１は、水平な建築用板材３０の両端部３０ａ，３０ｂに連結され、当該水平な建築用板材３０よりも下方に設けられている。また、これら建築用板材３１，３１は側面視において直角三角形状に形成されており、斜辺が壁面３５とは反対側を向くように配置されている。そして、その上端部３１ａ，３１ａが連結側の端部として機能する。
なお、厚み方向とは、水平な建築用板材３０においては上下方向の寸法を指しており、垂直に設けられる建築用板材３１，３１においては左右方向の寸法を指している。
【００４８】
これら複数の建築用板材３０，３１，３１における連結し合う端部３０ａ，３０ｂ，３１ａ同士は、それぞれの建築用板材３０，３１，３１の厚み方向に対して斜め４５度に形成されている。
また、図１０（ａ），（ｂ）に示すように、複数の建築用板材３０，３１，３１における連結し合う端部３０ａ，３０ｂ，３１ａ同士のうち、水平な建築用板材３０の幅方向両端部は凸部３０ｃ（３０ｄ）を有する。さらに、直角三角形の建築用板材３１，３１の上端部３１ａ，３１ａは凹部３１ｃをそれぞれ有する。
図１０（ａ）に示す凸部３０ｃは、水平な建築用板材３０の長さ方向に沿って突出するような形状となっている。一方、図１０（ｂ）に示す凸部３０ｄは、断面視において略Ｌ字状に形成された状態となっており、端部が下方に突出している。本実施形態においては、いずれの形態の凸部３０ｃ，３０ｄを用いてもよいものとする。
【００４９】
本実施形態によれば、複数の建築用板材３０，３１，３１は、連結し合う端部３０ａ，３０ｂ，３１ａ同士のうち少なくとも一方が、それぞれの建築用板材３０，３１，３１の厚み方向に対して斜めに形成されることによって、正面視において交差した状態で、壁面３５に沿って連続しているので、複数の建築用板材３０，３１，３１は、正面視において略Ｌ字型を呈する部分を有する状態で、壁面３５に取り付けられることになる。これによって、連続した一体性のある複数の建築用板材３０，３１，３１が、一つの壁面３５に対して取り付けられることになるので、一つの建築用板材が一つの壁面に取り付けられる場合に比して、その取付強度をより一層向上させることができる。
【００５０】
〔変形例〕
なお、本発明を適用可能な実施形態は、上述した第１〜第３実施形態に限定されることなく、本発明の趣旨を逸脱しない範囲で適宜変更可能である。以下、変形例について説明する。以下に挙げる変形例は可能な限り組み合わせてもよい。
【００５１】
〔変形例１〕
図１１に示すように、本変形例における壁面は出隅部４５を有するものであり、互いに隣接して交差する複数の壁面４５ａ，４５ｂによって形成されている。
複数の建築用板材４０，４１は、連結し合う端部４０ａ，４１ａ同士の双方が、それぞれの建築用板材４０，４１の奥行方向に対して斜めに形成されることによって、平面視において交差した状態で、複数の壁面４５ａ，４５ｂに沿って連続している。
また、これら複数の建築用板材４０，４１における連結し合う端部４０ａ，４１ａ同士のうち一方は凸部を有し、他方は凹部を有しており、凸部が凹部に嵌め込まれることによって複数の建築用板材４０，４１の端部４０ａ，４１ａ同士が連結されている。
本変形例における複数の建築用板材４０，４１は、壁面４５ａ，４５ｂに取り付けた状態における外周端部が弧状に形成されている。そして、これら複数の建築用板材４０，４１を連結させた時に、２７０度の円弧が形成される。
このような本変形例における複数の建築用板材４０，４１は意匠性に優れるものであるため、外観性の向上に貢献できる。
【００５２】
〔変形例２〕
図１２に示すように、本変形例における壁面は出隅部５５Ａと入隅部５５Ｂとを有するものであり、互いに隣接して交差する複数の壁面５５ａ，５５ｂ，５５ｃによって形成されている。
複数の建築用板材５０，５１，５２は、連結し合う端部５０ａ，５１ａ（５１ａ，５２ａ）同士の双方が、建築用板材５０，５１，５２の奥行方向に対して斜めに形成されることによって、平面視において交差した状態で、複数の壁面５５ａ，５５ｂ，５５ｃに沿って連続している。
また、これら複数の建築用板材５０，５１，５２における連結し合う端部５０ａ，５１ａ（５１ａ，５２ａ）同士のうち一方は凸部を有し、他方は凹部を有しており、凸部が凹部に嵌め込まれることによって複数の建築用板材５０，５１，５２の端部５０ａ，５１ａ（５１ａ，５２ａ）同士が連結されている。
本変形例における複数の建築用板材５０，５１，５２は、壁面５５ａ，５５ｂ，５５ｃに取り付けた状態における外周端部が弧状に形成されている。すなわち、これら複数の建築用板材５０，５１，５２を連結させた時に、建築用板材５０から建築用板材５２にかけて波状の緩やかなカーブが形成される。
このような本変形例における複数の建築用板材５０，５１，５２は意匠性に優れるものであるため、外観性の向上に貢献できる。
【００５３】
〔変形例３〕
図１３に示すように、本変形例における壁面は一つの壁面６５で形成されている。また、この壁面６５上に、互いに連結する複数の建築用板材６０，６１と、互いに連結する複数の建築用板材６２，６３とが近接して配置されている。
【００５４】
複数の建築用板材６０，６１は、連結し合う端部６０ａ，６１ａ同士の双方が、建築用板材６０，６１の厚み方向に対して斜めに形成されることによって、正面視において交差した状態で、壁面６５に沿って連続している。より詳細に説明すると、建築用板材６０は水平に配置され、建築用板材６１は、水平な建築用板材６０の一端部から下側に伸びるように配置されている。
また、これら複数の建築用板材６０，６１における連結し合う端部６０ａ，６１ａ同士のうち一方は凸部を有し、他方は凹部を有しており、凸部が凹部に嵌め込まれることによって複数の建築用板材６０，６１の端部６０ａ，６１ａ同士が連結されている。
【００５５】
複数の建築用板材６２，６３は、連結し合う端部６２ａ，６３ａ同士の双方が、建築用板材６２，６３の厚み方向に対して斜めに形成されることによって、正面視において交差した状態で、壁面６５に沿って連続している。より詳細に説明すると、建築用板材６２は水平に配置され、建築用板材６３は、水平な建築用板材６０の一端部から上側に伸びるように配置されている。
また、これら複数の建築用板材６２，６３における連結し合う端部６２ａ，６３ａ同士のうち一方は凸部を有し、他方は凹部を有しており、凸部が凹部に嵌め込まれることによって複数の建築用板材６２，６３の端部６２ａ，６３ａ同士が連結されている。
【００５６】
互いに連結する複数の建築用板材６０，６１と、互いに連結する複数の建築用板材６２，６３は、上面視において建築用板材６０と建築用板材６２とが重なり合うように配置され、側面視において建築用板材６１と建築用板材６３とが重なり合うように配置されている。
このような本変形例における複数の建築用板材６０，６１，６２，６３は意匠性に優れるものであるため、外観性の向上に貢献できる。
【００５７】
〔変形例４〕
図１４に示すように、壁面７５に取り付けられた状態の複数の建築用板材７０（他方の建築用板材は図１４では見えない状態）における突出方向側端部には、下方に突出する突片７２が複数の建築用板材７０の長さ方向に沿って設けられている。
図１４に示す例では、建築用板材７０の突出方向側端部に設けられた突片７２と、建築用板材７０の下面と、壁面７５とで下向きに開口した収容部が構成されている。
また、突片７２と化粧板２は一体形成されていてもよいし、突片７２を化粧板２に対して後付けしてもよい。
このような収容部は、例えば窓の上方に設けられることにより、カーテンレール７６を収容する所謂カーテンボックスとして用いられている。
本変形例によれば、壁面７５に取り付けられた状態の複数の建築用板材７０における突出方向側端部に、下方に突出する突片７２が複数の建築用板材７０の長さ方向に沿って設けられているので、突片７２によって、この突片７２よりも壁面７５側にある物を目隠しすることができ、外観性の向上に貢献できる。
【符号の説明】
【００５８】
１  基材
１ａ  取付面
２  化粧板
２ａ  嵌合凹部
３  下地材
４  化粧シート
５  受部
５ａ  取付面
１０  建築用板材
１０ａ  端部
１０ｃ  凸部
１１  建築用板材
１１ａ  端部
１１ｃ  凹部
１５  出隅部
１５ａ  壁面
１５ｂ  壁面
２０  建築用板材
２０ａ  端部
２１  建築用板材
２１ａ  端部
２５  入隅部
２５ａ  壁面
２５ｂ  壁面
３０  建築用板材
３０ａ  端部
３０ｂ  端部
３０ｃ  凸部
３０ｄ  凸部
３１  建築用板材
３１ａ  端部
３１ｃ  凹部
３５  壁面
【図１】
0006664908.tif 000002
【図２】
0006664908.tif 000003
【図３】
0006664908.tif 000004
【図４】
0006664908.tif 000005
【図５】
0006664908.tif 000006
【図６】
0006664908.tif 000007
【図７】
0006664908.tif 000008
【図８】
0006664908.tif 000009
【図９】
0006664908.tif 000010
【図１０】
0006664908.tif 000011
【図１１】
0006664908.tif 000012
【図１２】
0006664908.tif 000013
【図１３】
0006664908.tif 000014
【図１４】
0006664908.tif 000015